(57)【要約】【課題】使用者である水泳者の運動を妨げず、扱い易い膨張式安全装置を提供する。【解決手段】手動で、又は自動的に操作される膨張式安全装置１０、１０′は操作ロッド２５、５４付きの少なくとも１個の圧縮ガス瓶１７、２０を具える。圧縮ガス瓶は少なくとも１個の膨張可能素子１５、１８に結合されており、膨張可能素子は開放リングとして、当初は折りたたまれていて、使用者の腰に結合するリボン状ケース１３、２６内に組み込まれている。少なくとも１個の膨張可能素子１５、１８は伸長可能手段２７、６０、及び／又は１４、１４′、１６、１６′によって、リボン状ケース１３、２６に連結されている。伸長可能手段の伸長によって、膨張可能素子を使用者の脇の下の高さに設置することができる。【選択図】図４
2005225478.tif 000002
【特許請求の範囲】
【請求項１】
作動ロッド（２５、５４）を設けた少なくとも１個の加圧ガス瓶（１７、２０）と、開放リングの形状を有していて、当初折りたたまれており、使用者の腰に結合するリボン状ケース（１３、２６）内に組み込まれていると共に、前記加圧ガス瓶に適合している少なくとも１個の膨張可能素子（１５、１８）とを具え、前記少なくとも１個の膨張可能素子（１５、１８）は伸長可能手段（２７、６０、１４、１４′、１６、１６′）によって、前記リボン状ケース（１３、２６）に連結されており、前記膨張可能素子（１５、１８）が一旦、膨張した時、前記伸長可能手段の伸長によって、前記膨張可能素子を使用者の脇の下の高さに設置させることを特徴とする手動、又は自動的に作動する膨張式安全装置（１０、１０′）。
【請求項２】
前記膨張可能素子（１５、１８）を前記リボン状ケース（１３、２６）に連結する前記手段（２７、６０）は天然材料、又は合成材料から造られた少なくとも１個のテープ、又はリボンによって構成されていることを特徴とする請求項１による安全装置。
【請求項３】
前記膨張可能素子（１５、１８）を前記リボン状ケース（１３、２６）に連結する前記手段（１４、１４′、１６、１６′）は一端を前記膨張可能素子（１５、又は１８）に連通すると共に、他端を膨張可能管状室（１２）に連通する１個、又はそれ以上の個数の可撓性管状ダクトによって構成したことを特徴とする請求項１、又は２による安全装置。
【請求項４】
前記リボン状ケース（１３、２６）は織物、又は天然材料、及び／又は合成材料から造られており、前記ケースの関連両端に一体であって、前記両端間に弾性的に係合している２個の補足し合う構成部分（１９、２１）によって構成された少なくとも１個のバックル（３０）、又は相当する固定調整手段を前記リボン状ケースに設けたことを特徴とする前記請求項のいずれか１項による安全装置。
【請求項５】
前記膨張可能素子の関連両端に取り付けられたバックル、又は固定調整手段（１９′、２１′）を前記膨張可能素子（１５、１８）に設けたことを特徴とする前記請求項のいずれか１項による安全装置。
【請求項６】
前記リボン状ケースの端縁、及び／又は表面の１個、又はそれ以上の個数の部分に沿って、垂直に、及び／又は水平に、圧迫して設置された固定取外し可能手段（２３、２８）を前記リボン状ケース（１３、２６）に設けたことを特徴とする前記請求項のいずれか１項による安全装置。
【請求項７】
前記固定取外し可能手段がベルクロテープ（２３）である請求項６による安全装置。
【請求項８】
前記リボン状ケース（１３、２６）は少なくとも一部弾性であり、又は少なくとも一部弾性化されており、必要であれば、海水パンツ等のような着衣に一体にされていることを特徴とする前記請求項のいずれか１項による安全装置。
【請求項９】
圧縮ガス瓶（１７、２０）はヒートシール、及び／又は接着カラー（５８）、又は弁支持体（１７′）によって、前記膨張可能素子（１５、１８、１２）に固定されていることを特徴とする前記請求項のいずれか１項による安全装置。
【請求項１０】
前記リボン、又はテープ（２７、６０）は前記膨張可能素子（１５、１８）を膨張可能管状室（１２）に連結する１個、又はそれ以上の個数の可撓性管状ダクト（１４、１４′、１６、１６′）に関連していることを特徴とする請求項２による安全装置。
【請求項１１】
前記リボン（２７、６０）を前記両自由端に、前記膨張可能管状室（１２）に、及び前記膨張可能素子（１８）に固定した請求項１０による安全装置。
【請求項１２】
接着剤、ヒートシール、又はその他の固定手段によって、１個、又はそれ以上の個数の点で、前記リボン状ケース（１３、２６）に、前記膨張可能管状室（１２）を固定したことを特徴とする前記請求項のいずれか１項による安全装置。
【請求項１３】
前記少なくとも１個の圧縮ガス瓶（１７、２０）が自動作動形であることを特徴とする前記請求項のいずれか１項による安全装置。
【請求項１４】
関連する取り外し得る閉塞キャップ（３７）を有する少なくとも１個の突出口金（３５）を前記膨張可能素子（１５、１８）に設けたことを特徴とする前記請求項のいずれか１項による安全装置。
【請求項１５】
ベローズのように繰り返して折ることによって、前記ケース（２６）の端部で、少なくとも前記膨張可能素子（１８）をそれ自身コンパクトにした請求項１による安全装置。
【請求項１６】
繰り返して折ることにより、即ちベローズのようにすることによって、前記ケースの内側で、前記管状室（１２）、及び関連する前記連結ダクト（１４、１４′、１６、１６′）をコンパクトにした請求項１４による安全装置。
【発明の詳細な説明】
【技術分野】
【０００１】
本発明は膨張式安全装置に関するものである。
また特に、本発明は水中で使用し、必要ならば膨張させることができ、水泳者が使用する衣服に、又は腰の周りに装着するベルトのような装身具に有利に組み込むことができ、更に、水着、特にスリップ、海水パンツ、及び潜水服、及び／又はその装身具にも組み込むことができる安全装置に関するものである。
【背景技術】
【０００２】
水中にある時、水泳者は予期せぬでき事のため、困難に直面して、恐怖を感ずることがあることが知られている。この種の状態は肉体的な疲労感によって生じ、それは病気により、又は発生するパニックにより、筋肉の痙攣を引き起こすことがある。このような場合に、水泳者は泳ぐことができず、自力で海岸まで泳ぎ着くことができず、迅速な救助が無いと、溺れる危険が発生する。
【０００３】
一方、水泳者、特に経験がある水泳者は救命ブイ、又は空気で膨張するか、又はコルクのような軽い材料、又はスポンジでできたベルト、又はジャケットを常に着用することは物理的に不可能である。しかも、実際上、これ等のアクセサリーは身体の一部が浮いている不自然な状態で泳がざるを得なくするため、水泳者にとって障害物になる。
【０００４】
この困難性に加えて、このような装置は水泳者にとって何となく使用心地が悪いものである。一方、レースのような特別な条件下では、経験を積んだ水泳者でも、安全ジャケットを使用することが当たり前になっているが、このような水泳者が単に泳ぐたけの時は、安全ジャケットを使用することは無い。しかし、そのような環境下で、最も重大な危険が生ずるかも知れない。
【０００５】
この目的のため、使用者が腰、又は身体の他の部分に取り付けて、身体に装着する種々の膨張式装置が既知であり、これ等の装置は次の特許文献に記載されている。しかし、これ等の解決策はほぼ単に、膨張可能な救命ブイであって、適正な安定化作用、及び浮く作用を確実なものにしておらず、しかも、膨張手段の複雑な操作システムを具えている欠点がある。
【特許文献１】米国特許第2970326 号
【特許文献２】米国特許第3144667 号
【特許文献３】米国特許第3414920 号
【特許文献４】ドイツ特許第DE19850187号
【特許文献５】ドイツ特許第DE2202902 号
【特許文献６】欧州特許第EP0325994号
【発明の開示】
【発明が解決しようとする課題】
【０００６】
本発明の目的は従来技術の上述の欠点を除去し、改良された膨張式安全装置を得るにある。
また特に、本発明の目的は使用する人の運動を妨げること無く、水泳中に使用者の身体位置を不自然に変えること無く、扱いにくいことが無く、水泳者に普通に使用することができる膨張式安全装置を得るにある。
【０００７】
本発明の他の目的は使用者は必要な時だけ操作することができ、装着しているのが目立たない上述の形式の膨張式安全装置を得るにある。
本発明の他の目的は丈夫で、時間的な信頼性が高く、安価に容易に製作することができる膨張式安全装置を得るにある。
【課題を解決するための手段】
【０００８】
作動ロッドを設けた少なくとも１個の加圧ガス瓶と、開放リングの形状を有していて、当初折りたたまれており、使用者の腰に結合するリボン状ケース内に組み込まれていると共に、前記加圧ガス瓶に適合している少なくとも１個の膨張可能素子とを具え、前記少なくとも１個の膨張可能素子は伸長可能手段によって、前記リボン状ケースに連結されており、前記膨張可能素子が一旦、膨張した時、前記伸長可能手段の伸長によって、前記膨張可能素子を使用者の脇の下の高さに設置させる安全装置であって、手動、又は自動的に作動する本発明膨張式安全装置により、これ等の目的、及びその他の目的は達成される。
【０００９】
本発明を限定するものでなく、単に例としての好適な実施例を示す添付図面を参照する次の詳細な説明によって、本発明膨張式安全装置の構造、及び機能の要旨は一層良く理解することができる。
【実施例】
【００１０】
図１〜図７において、符号１０にて全体を示す本発明の膨張式安全装置は伸張性のあるプラスチック材料の開放リングから成るほぼ円形断面の管状室１２を具え、この管状室１２は１個、又はそれ以上の個数の一体のダクト、好適には対向２対の一体のダクト１４、１４′、及び１６、１６′になって延長している。前記ダクト１４、１４′、及び１６、１６′は垂直に指向し、管状室１２に対し、この垂直方向に伸び、これ等一体のダクトは前記管状室１２より、一層高い部分で、開放リング救命ブイ形の膨張可能素子１８に、継目無く連結しており、膨張可能素子１８は前記ダクト１４、１４′、及び１６、１６′を通じて管状室１２に連通している。ここに、「開放リング」とは環状の部材が完全な環ではなく、図２の膨張可能素子１８のように、一部が切断された形状の環状の部材を言う。
【００１１】
少なくとも１個の既知の瓶、又は容器２０は大気、又はＣＯ2 ガスのような不活性ガスから成る加圧流体を収容しており、この容器の一端にねじ付き口金３４を設け、この容器２０を前記室１２、及び／又は膨張可能素子１８に連結する。前記容器２０は容器２０のねじ付き口金３４に加えた既知の弁組立体３２を具える。本発明装置がどのように作動するかを一層良く理解するため、前記容器２０、及び関連する弁組立体３２を簡単に以下に説明する。容器２０の一端にねじ付き口金３４を設け、モービルプラグ３６を組み込んでいる前記弁組立体３２をねじ付き口金にねじ込む。螺旋ばね３８によって弾性的な張力が加わるモービルプラグ３６は室４０内に摺動する。室４０は容器２０の口金３４の露出表面に対し直角に、上記弁組立体３２内に延びている。容器２０のキャップを形成するプラスチック材料、又はその他の適当な材料から成る隔膜４２によって、前記口金３４は封止されている。使用者が適切な操作を行った後のみ、上記の容器２０から釈放される加圧流体の出口における遮壁を形成するよう、前記隔膜４２は適切な寸法にされ、安定化される。この目的のため、通常の弁組立体３２は尖った形状の、即ちピン状体４４（図７参照）を具えており、このピン状体４４は螺旋ばね４６によって張力を受けて、容器２０の口金の方に指向しており、また、ピン状体４４は弁組立体３２に連結されて、上記弁組立体３２上に設置されているレバー４８によって、軸線方向に操作される。図７に詳細に示すように、レバー４８の両端のうちの一方の端部５０はピン４４の縦軸線に一線であり、他端５２は自由端であり、ロッド５４に連結されており、このロッド５４に、握りノブ５６を固定する。必要ならば、前記ノブを使用者が握り、引張ることができるように、このノブは弁組立体３２から自由に突出している。レバー４８に連結されたノブ５６に引張り力を作用させると、レバー４８は揺動し、ピン４４は容器２０の隔膜に挿通し、容器内に収容された加圧流体を釈放する。この目的のため、本発明によれば、例えば、ヒートシール、及び／又は接着カラー５８によって、弁組立体３２は管状室１２に、緊密に固定されている。この拘束は上記管状室１２に設けた孔に一部掛合する弁組立体３２のタング３２′によって得られる。従って、ピン４４が上記容器２０の隔膜４２に、挿通した後、ケース２０の内側の加圧流体は上記管状室１２、ダクト１４、１４′、及び１６、１６′、及び膨張可能素子１８に充満する。
【００１２】
これに限定されない図示の実施例による前記容器２０は特に図２、及び図４に示すように、上述の室１２の一端に関連して収容される。リング状膨張可能素子１８の端部のように、管状室１２の両自由端は例えばヒートシール、及び／又は接着剤によって、緊密に閉じられている。管状室１２の前記両端（その一方には関連して、ケース２０が収容されているが）は腹部区域に沿う、使用者の身体の前側において、対向するように向き合っている。
【００１３】
好適な、これに限定されない実施例によれば、添付図面に示すように、膨張式安全装置１０は特に図１、図４、及び図５に示すリボン状ケース２６内に有利に組み込まれている。任意適切な材料、好適には開発による天然繊維、合成繊維で造られている前記ケースはその長辺に沿って折られて、細長い条片にすることができる。前記ケース２６の端縁、即ち端部ラップ２６′、２６″は少なくとも一部重複しており、一時的接近安定化手段を通じて、これ等の端縁の間で１個、又はそれ以上の個数の点で、相互に、固定されている。
【００１４】
図５の符号２８を付した前記一時的接近安定化手段は１個、又はそれ以上の個数の「ベルクロ（Velcro )」（登録商標）形のテープ、又は取り外し得る接着テープから成るのが好適である。使用者が腰の周りに使用することができるベルトをほぼ形成しているリボン状ケース２６には、例えばプラスチック、又はその他の適切な材料から成るバックル３０（図４参照）の弾性クリップにより、又は小形連結フレームにより構成された、両自由端の連結配列手段を設ける。リボン状ケース２６を造る材料は少なくとも一部弾性材料、又は弾性化した材料であるのが好適であり、これは、安全装置１０、及び関連する加圧流体容器２０を組み込んだこのケースの使用者の腰の周りの位置決めと、安定化とを容易に達成するためである。リボン状ケース２６から、引張り手段、即ちノブ５６を突出させ、必要ならば、２個の容器２０を設けた場合、掴定手段を形成する２個の適合するノブを設け、使用者が、タイロッド５４を引っ張って、容器２０の隔膜４２に、ピン状体を挿通して、開き、容器２０内に収容された加圧流体を釈放するようにする。
【００１５】
図４、及び図５から特に明らかなように、ベローズのように、繰り返して折ることによって、安全装置１０の少なくとも膨張可能素子１８をケース２６の内側で、好適なことには自分自身の上に圧縮することができる。従って、前記素子１８、管状室１２、及び関連する連結ダクト１４、１４′、及び／又は１６、１６′を上記のケース内に、簡単に圧縮することができる。使用者のほぼ腰の周りに使用する水泳用衣類、又はその他の類似の衣服の上端縁に沿って、上記ケースを明らかに一体化することができる。
【００１６】
これに限定されない好適な実施例によれば、膨張可能素子１８に、膨張可能管状室１２を連結し、連通させるダクト１４、１４′、及び／又は１６、１６′、及び適当な幅を有するリボン６０のおのおのを関連させる。これは膨張した時、使用者の身体に沿って、ダクトを安定化させるためである。１個を図２に示す前記リボン６０は可撓性プラスチック材料で有利に造られており、ダクト１４、１４′、及び１６、１６′に、ヒートシールによって固定されている。リボン６０の製作のためには、ダクトと同一の材料を使用するのが有利であるが、任意、その他の天然の材料、又は合成材料も使用される。前側の腹部の区域、及び背中の一部の両方に沿って、使用者の身体に接触するのを防止するようにして、リボン６０は設置され、また、リボン６０はそれぞれ対向する自由端で、ヒートシール、又は接着剤によって、膨張可能管状室１２に、及び膨張可能素子１８に取り付けられる。
【００１７】
上述の記載から、本発明の安全装置の作動は容易に理解される。一旦、安全装置が作動すると、それを装着する水泳者の胸部の周りに、完全な救命具を発生させる。緊急の場合には、使用者はノブ５６、及びそれに連結されたロッド５４を外方に引き、レバー４８を作動させて、尖った、即ちピン状体４４を容器２０の隔膜４２に挿通させる。この挿通に続いて、流体は容器２０から出て、直ちに、管状室１２内に分散し、ダクト１４、１４′、及び１６、１６′を通じて、膨張可能素子１８に達する。前記室１２を膨張させる作用により、前記室１２が膨張を開始した時、「ベルクロ」形のテープ、又は接着テープの抵抗に打ち勝って、ケース２６は開き、前記ダクト、及び膨張可能素子１８から成る装置の残りの部分をほぐして、膨張させる。図１〜図３は安全装置を線図的に示しており、図１は膨張していない時の使用者によって装着された安全装置を示しており、図２、及び図３は作動している状態で、膨張した装置の全体の位置、及び形態を示している。使用者は腰に結合する管状室１２に対応する第１の減少した断面の救命ブイを装着する。第２の広い救命ブイは膨張可能素子１８に対応しており、延びていて、脇の下の高さで、身体に結合している。これ等の素子は完全な救命具を形成している。
【００１８】
図８〜図１１は本発明の膨張式安全装置の代案の簡単化した実施例を示す。この実施例によれば、不作動状態に、図８に１０′の符号で示した前記装置は織物、又は天然材料、又は合成材料で造られた可撓性リボン状素子１３と、前記ケースに関連し、一般にＣＯ2 である加圧ガスを収容する１個、又はそれ以上の個数の既知の瓶１７を設けた少なくとも膨張可能素子１５とを具える。
【００１９】
リボン状ケース１３は使用者の腰に結合するので、その目的のため、両端に連結手段を設けている。前記連結手段は２個の通常の構成部分１９、２１によって形成される少なくともプラスチック、又はその他適当な材料のバックルで造られるのが好適であり、これ等の構成部分は溝と舌片との連結によって、構成部分間を弾性的に連結するのに適している。使用者の腰で、正確に調整できるようにするため、前記構成部分１９、２１はケース１３の両端の１個、又はそれ以上の個数のリボンの介在によって、有利に固定される。上述のバックルの代わりに、適当な材料の２個の対向する条片を設け、その一方に舌片付きのバックルを設け、ベルトを形成するため、他方に多数の離間する孔を設けた他の固定調整手段をリボン状ケース１３に適合させることができる。
【００２０】
図９に符号１９′、２１′で示す類似のバックル、又は相当する調整手段は膨張可能素子１５の両端に、有利に固定され、救命ブイの形状になる。
【００２１】
リボン状素子１３は膨張可能素子１５、及び加圧ガスの関連する瓶１７を収容するために有利に配置され、この目的のため、取り外し得る圧迫閉止手段を垂直方向、即ち高さの方向に設ける。前記閉止手段はその端縁の部分に沿い、又は他の適当な位置に、接着剤により、又は縫合により固定されたベルクロの１個、又はそれ以上のテープ２３で造るのが好適である。ベルクロテープ２３はリボン状素子１３を折り、及び閉じることを可能にし、そのようにして、リボン状素子１３は膨張可能素子１５を組み込み、これにより、使用者が腰の周りに容易に装着し、適切に調整することができる腹部のベルトを形成する。。
【００２２】
上記ベルクロテープ２３は装置１０′を作動させる時、容易に除去し得る閉止手段を形成しており、瓶１７を通じて、素子１５が膨張すると、このテープ２３に結合しているリボン状素子１３の端縁を自動的に取り外し、従って、以下に説明するように、上記素子１５を露出する。
【００２３】
圧縮ガス瓶１７の作動は例えばロッド２５によって構成された既知の装置によって行うことができる。使用者がロッド２５を作動させた時、上記瓶の弁を開き、ガスを自由にし、ガスは膨張可能素子１５内に入って膨張する。図３に示すように、ロッドは明らかに、折られたリボン状ケース１３の外側にあり、緊急時に、使用者はそれを握り、引っ張ることができる。
【００２４】
瓶１７は弁支持体１７′の介在によって、膨張可能素子１５に直接、固定されており、上記膨張可能素子の口金に連通している。既知の形式の弁支持体１７′は接着剤、又はヒートシールのような任意適切な手段によって、後者に固定されている。
【００２５】
図８〜図１１に示す例として与えられた実施例によれば、リボン状ケース１３は織物、又は天然材料、又は合成材料、又はその他の適切な材料から成る適切な長さの１個、又はそれ以上の個数のテープ２７によって、前記ケースに連結された１個の救命ブイ膨張可能素子１５を組み込んでいる。
【００２６】
テープ２７の両端は接着剤、ヒートシール、又はその他適切な手段により、膨張可能素子１５、及びリボン状ケース１３に、それぞれ固定されている。装置が作動していない時、自分自身で丸まっている上記のテープ２７の全長は膨張可能素子を一旦、それが膨張すると、使用者の胸部に沿って、立ち上がらせ、脇の下の高さに位置させる。一旦、この位置に達すると、リボン状ケース１３に固定されたテープ２７の作用に起因し、膨張した素子１５は安定化する。
【００２７】
上述のバックル、又はその他の適切な手段により、今度は、リボン状ケース１３が使用者の腰の周りに、適切に安定化される。従って、使用者が意識を失った時、使用者が無意識に腕を上げた場合でも、前記膨張可能手段１５は使用者の身体から、滑って外れることはない。従って、浮いた状態は確保され、膨張した時、素子１５は最も適切な位置に設置され、使用者の頭を水の外に維持し、波に対して防護する。
【００２８】
図１２は以前の図１〜図６の実施例の一つに繋がる変形の実施例による本発明の装置を線図的に示し、この実施例が前の実施例と異なる主な点は加圧流体の瓶、又は容器の位置決めである。図１２は図１〜図６に示した実施例と同一部分は同一符号を使用するが、加圧流体容器２０は膨張可能素子１８に、固定されて、設置され、一旦、膨張すると、使用者の脇の下の高さになる。
【００２９】
圧縮ガス瓶１７、又は２０は自動形式のものにすることができ、即ち、水に接触すると、直ちにガスを釈放して、膨張可能素子１２、１５、又は１８を膨張させる弁を設けている。使用者がロッド２５、又は５４を引っ張ることを防止しているこの実施例はボート上で使用するのに特に適しており、これは使用者が誤って、水に落ちた場合、装置が自動的に作動するからである。
【００３０】
瓶１７、及び／又は２０は既知の弁支持体１７′、即ち「マニュアルインフレータ」シリーズＶ８７０と呼ばれるHalkey Robertsによって、製作される種類の弁支持体を連結している。瓶１７、及び／又は２０は手動で、前記支持体の適切なねじ孔にねじ込まれる。
【００３１】
もし必要であれば、又は管状膨張可能室１２の代わりに、関連する取り外し得る閉塞キャップ３７付きの突出口金３５を膨張可能素子１５、１８に設け、一旦、救命作業が終了した時、上記素子を収縮させ、リボン状ケース１３、又は２６内に折りたたみ、使用された瓶１７、又は２０を新しいものに交換した後、次に使用できるようにする。使用者が水中に留まって、身体を浮かせるように努力しなくとも浮かんでいることを希望する場合には、瓶１７、又は１８を作動させること無く、前記口金３５は使用者の口によって、管状素子１５、１８、又は１２を膨張させることができる。
【００３２】
若干の実施例を参照して、本発明を説明したが、これ等の実施例は単なる例示であって、本発明を限定するものでない。当業者には上述の説明に従って、本発明に種々の変更を加えることができる。従って、本発明は特許請求の範囲の精神、及び保護範囲内の全ての変更、及び修正をも包含することは明らかである。
【図面の簡単な説明】
【００３３】
【図１】休んでいる使用者が装着した本発明膨張式安全装置の前側からの線図である。
【図２】操作中の使用者が装着している図１の安全装置の前側の線図である。
【図３】操作中の使用者が装着している図１、及び図２の安全装置の後側の線図である。
【図４】本発明膨張式安全装置を含むケースの線図的部分断面正面図である。
【図５】図４のケースの線図的横断面図である。
【図６】本発明安全装置、及びそのケースの線図的部分断面図である。
【図７】本発明安全装置の作動手段の線図的正面図である。
【図８】本発明の代案の実施例の安全装置の線図的正面図である。
【図９】本発明の他の代案の実施例の安全装置の線図的正面図である。
【図１０】操作していない状態で、使用者が装着した図８、及び図９の安全装置の線図的正面図である。
【図１１】操作している状態で使用者が装着した図８、及び図９の安全装置の線図的正面図である。
【図１２】本発明の更に代案の実施例の安全装置の線図的正面図である。
【符号の説明】
【００３４】
１０、１０′    膨張式安全装置
１２    管状室
１３    可撓性リボン状素子
１４、１４′、１６、１６′    連結ダクト
１５、１８    膨張可能素子
１７、  １７′、２０    瓶、容器
１９、２１    構成部分
１９′、２１′    バックル、調整手段
２３    ベルクロテープ
２５、５４    ロッド
２６    リボン状ケース
２７    テープ
２８    一時的接近安定化手段
３０    バックル
３４    ねじ付き口金
３５    突出口金
３７    閉塞キャップ
５８    接着カラー
６０    リボン
【図１】
2005225478.tif 000003
【図２】
2005225478.tif 000004
【図３】
2005225478.tif 000005
【図４】
2005225478.tif 000006
【図５】
2005225478.tif 000007
【図６】
2005225478.tif 000008
【図７】
2005225478.tif 000009
【図８】
2005225478.tif 000010
【図９】
2005225478.tif 000011
【図１０】
2005225478.tif 000012
【図１１】
2005225478.tif 000013
【図１２】
2005225478.tif 000014